(57)【要約】【課題】口金を使用することなく毛束を扁平状に集めて成形することができ、また意匠性を向上させやすい化粧ブラシを提供する。【解決手段】ブラシ本体１０と、ブラシ本体１０が挿入される扁平状の挿入孔が形成されたハンドル２０とを有する化粧ブラシ１００であって、挿入孔が後端側から先端側に向けて幅方向及び厚み方向に縮径するテーパー状である。ハンドル２０の後端部を塞ぐ尾栓部とブラシ本体１０の後端部に当接する軸部とからなる尾栓軸３０を有する。【選択図】図１
2018191838.tif 000002
【特許請求の範囲】
【請求項１】
ブラシ本体と、前記ブラシ本体が挿入される扁平状の挿入孔が形成されたハンドルとを有する化粧ブラシであって、
前記挿入孔が後端側から先端側に向けて縮径するテーパー状であることを特徴とする化粧ブラシ。
【請求項２】
前記挿入孔が幅方向に縮径していることを特徴とする請求項１に記載の化粧ブラシ。
【請求項３】
前記挿入孔が厚み方向に縮径していることを特徴とする請求項１又は請求項２に記載の化粧ブラシ。
【請求項４】
前記ハンドルの後端部を塞ぐ尾栓部と前記ブラシ本体の後端部に当接する軸部とからなる尾栓軸を有することを特徴とする請求項１乃至請求項３のうちいずれか１つに記載の化粧ブラシ。
【発明の詳細な説明】
【技術分野】
【０００１】
本発明は、化粧ブラシに関するものである。
【背景技術】
【０００２】
従来、チークブラシ、フェイスブラシ、パウダーブラシ等の、化粧ブラシが用いられている。化粧ブラシのブラシ部の形状は、筆型、丸型、扁平型など様々なものがある。
【０００３】
このうち扁平型化粧ブラシとして、例えば特許文献１には、獣毛と合成繊維毛とを均一に混合した、全体形状が扁平状（板状）の混毛化粧ブラシに関する発明が記載されている。また、特許文献２には、毛束の先端における断面を扁平形状としたひげ剃り用ブラシに関する発明が記載されている。
【先行技術文献】
【特許文献】
【０００４】
【特許文献１】特開２０１１−７２４９５号公報
【特許文献２】実用新案登録第３１４８４３５号公報
【発明の概要】
【発明が解決しようとする課題】
【０００５】
ところで、扁平型化粧ブラシにおいては、毛束の根元部分に口金を配置し、この口金をかしめる（金属の接合部分を打ったり締めたりして固くとめる。）ことにより、毛束を扁平状に集めて成形するようになっている。
【０００６】
しかしながら、口金を使用する場合、毛束を扁平状に集めて成形するための、かしめる作業が必要であり、また口金として金属等の変形可能な材料を用いなければならないため、デザインが限定され意匠性を向上させにくい。
【０００７】
本発明は、上記従来の課題を解決するものであり、口金を使用することなく毛束を扁平状に集めて成形することができ、また意匠性を向上させやすい化粧ブラシを提供するものである。
【課題を解決するための手段】
【０００８】
上記課題を解決するため、本発明の化粧ブラシは、ブラシ本体と、前記ブラシ本体が挿入される扁平状の挿入孔が形成されたハンドルとを有する化粧ブラシであって、前記挿入孔が後端側から先端側に向けて縮径するテーパー状であることを特徴とする。
【０００９】
また好ましくは、前記挿入孔が幅方向に縮径していることを特徴とする。
【００１０】
また好ましくは、前記挿入孔が厚み方向に縮径していることを特徴とする。
【００１１】
また好ましくは、前記ハンドルの後端部を塞ぐ尾栓部と前記ブラシ本体の後端部に当接する軸部とからなる尾栓軸を有することを特徴とする。
【発明の効果】
【００１２】
本発明の化粧ブラシは、ブラシ本体と、ブラシ本体が挿入される扁平状の挿入孔が形成されたハンドルとを有しており、挿入孔が後端側から先端側に向けて縮径するテーパー状である。従って、ブラシ本体をハンドルの挿入孔に挿入することにより、テーパー状の内面によりブラシ本体の毛束を徐々に内側に集めていき、口金を使用することなく毛束を扁平状に成形することができる。
【００１３】
また、挿入孔が形成されたハンドルは、かしめる必要がないため、口金のように変形可能な材料を用いる必要がない。従って、樹脂等の材料を自由に使用することができ、意匠性を向上させやすい。
【００１４】
また、挿入孔が幅方向に縮径している場合には、ブラシ本体の毛束を幅方向に集めることができる。
【００１５】
また、挿入孔が厚み方向に縮径している場合には、ブラシ本体の毛束を厚み方向に集めることができる。
【００１６】
また、ハンドルの後端部を塞ぐ尾栓部とブラシ本体の後端部に当接する軸部とからなる尾栓軸を有する場合には、ハンドルの後端部を塞いで使用しやすくするとともに、ブラシ本体の抜けを防止することができる。
【００１７】
以上、本発明によれば、口金を使用することなく毛束を扁平状に集めて成形することができ、また意匠性を向上させやすい化粧ブラシを提供することができる。
【図面の簡単な説明】
【００１８】
【図１】本発明の実施形態に係る化粧ブラシを示す（Ａ）平面図、（Ｂ）正面図、（Ｃ）右側面図である。
【図２】ブラシ本体を示す（Ａ）平面図、（Ｂ）正面図、（Ｃ）左側面図である。
【図３】ハンドルを示す（Ａ）平面図、（Ｂ）正面図、（Ｃ）左側面図、（Ｄ）右側面図である。
【図４】尾栓軸を示す（Ａ）平面図、（Ｂ）正面図、（Ｃ）左側面図、（Ｄ）右側面図である。
【図５】化粧ブラシの組立手順を示す図である。
【発明を実施するための形態】
【００１９】
次に、図１乃至図５を参照して、本発明の実施形態に係る化粧ブラシについて説明する。図１は、本実施形態に係る化粧ブラシ１００を示す（Ａ）平面図、（Ｂ）正面図、（Ｃ）右側面図である。なお、図１（Ａ）は一部欠載平面図、図１（Ｂ）は一部欠載正面図であり、一点鎖線より上の部分は断面図である。
【００２０】
図１に示すように、化粧ブラシ１００は、ブラシ本体１０、ハンドル２０及び尾栓軸３０から構成されている。ハンドル２０には、ブラシ本体１０が挿入される挿入孔が形成されており、ブラシ本体１０の先端部はハンドル２０の先端部から突出している。また、尾栓軸３０は、ハンドル２０の挿入孔の後端部を塞ぐとともに、ブラシ本体１０の後端部に当接するようになっている。なお、以下の説明において、ブラシ本体１０側を「先端側」、尾栓軸３０側を「後端側」とする。
【００２１】
図２は、ブラシ本体１０を示す（Ａ）平面図、（Ｂ）正面図、（Ｃ）左側面図である。ブラシ本体１０は、略楕円形の台座１２に毛束１１が植毛されたものである。台座１２が略楕円形であるので、毛束１１は先端側から後端側に向けて、全体的に扁平状になっている。毛束１１の材質は、獣毛や合成繊維毛など、特に限定されない。
【００２２】
なお、ブラシ本体１０の毛束１１の量は、後述するハンドル２０の挿入孔２１によって内側に集められた状態で毛先が適切な密集度となるように、挿入孔２１の大きさに応じて設定する。
【００２３】
図３は、ハンドル２０を示す（Ａ）平面図、（Ｂ）正面図、（Ｃ）左側面図、（Ｄ）右側面図である。なお、図３（Ａ）は一部欠載平面図、図３（Ｂ）は一部欠載正面図であり、一点鎖線より上の部分は断面図である。ハンドル２０は、扁平状の筒状体２１の先端側から後端側に向けて挿入孔２２，２３が形成されたものである。挿入孔２２，２３は、ブラシ本体１０を挿入させるためのものであり、挿入孔２２と挿入孔２３との境界には、段差部２４が形成されている。また、挿入孔２３の後端部近傍には、環状の凹部２５が形成されており、後述する尾栓軸３０の凸部と嵌着されるようになっている。ハンドル２０の材質は特に限定されないが、樹脂等により一体成形することが好ましい。
【００２４】
挿入孔２２は、後端側から先端側（図３（Ａ）、図３（Ｂ）における右側から左側）に向けて縮径するテーパー状に形成されている。これにより、ブラシ本体１０をハンドル２０の挿入孔に挿入すると、テーパー状の内面によりブラシ本体１０の毛束１１が徐々に内側に集まるようになっている。縮径方向は、図３（Ａ）に示す幅方向（＝長径方向）と、図３（Ｂ）に示す厚み方向（短径方向）である。
【００２５】
ここで、挿入孔２２の後端部に対する先端部の減少率を「かしめ率」として定義する。かしめ率は適宜設定することができるが、幅方向及び厚み方向ともに、５０％〜９０％とすることが好ましく、８０〜８５％とすることが特に好ましい。また、挿入孔２２の大きさについても適宜設定することができるが、挿入孔２２の後端部（入口側）を２〜４０ｍｍとすることが好ましい。
【００２６】
また、挿入孔２３についても、後端側から先端側（図３（Ａ）、図３（Ｂ）における右側から左側）に向けて縮径するテーパー状に形成することが、ブラシ本体１０の挿入しやすさの点から好ましい。ただし、挿入孔２３はブラシ本体１０の毛束１１を最終的に内側に集めるものではないため、必ずしもテーパー状に形成しなくてもよい。
【００２７】
図４は、尾栓軸３０を示す（Ａ）平面図、（Ｂ）正面図、（Ｃ）左側面図、（Ｄ）右側面図である。尾栓軸３０は、尾栓部３１と、尾栓部３１から先端側に延びる棒状の軸部３２とから構成されている。尾栓軸３０は、ハンドル２０の後端部から挿入孔２３に挿入される。そして、尾栓部３１でハンドル２０の後端部を塞ぐとともに、軸部３２がブラシ本体１０の後端部（台座１２）に当接して押圧するようになっている。また、尾栓軸３０の後端側には環状の凸部３３が形成されており、ハンドル２０の凹部２５と嵌着して、尾栓軸３０がハンドル２０に固着されるようになっている。
【００２８】
次に、図５を参照して、本実施形態に係る化粧ブラシ１００の組立手順について説明する。図５は、化粧ブラシ１００の組立手順を示す図である。
【００２９】
まず、図５（１）に示すように、ブラシ本体１０をハンドル２０の後端側から先端側へ挿入する。このとき、ハンドル２０の先端側の挿入孔２２に挿入されるにつれて、挿入孔２２のテーパー状の内面により、ブラシ本体１０の毛束１１が徐々に内側（幅方向及び厚み方向）に集まる。そして、ブラシ本体１０の台座１２が、ハンドル２０内の段差２４に当接して止まる。図５（２）は、ハンドル２０内へ装着後のブラシ本体１０とハンドル２０の姿図である。
【００３０】
次に、図５（３）に示すように、ブラシ本体１０を装着したハンドル２０の後端側から尾栓軸３０を挿入し固着する。このとき、尾栓軸３０の凸部３３が、ハンドル２０の凹部２５と嵌着して固着されるようになっている。そして、尾栓部３１がハンドル２０の後端部（挿入孔２３）を塞ぎ、軸部３２がブラシ本体１０の後端部（台座１２）に当接して押圧する。図５（４）は、化粧ブラシ１００の組立完成姿図である。
【００３１】
本実施形態に係る化粧ブラシ１００は、ブラシ本体１０と、ブラシ本体１０が挿入される扁平状の挿入孔２２が形成されたハンドル２０とを有しており、挿入孔２２が後端側から先端側に向けて縮径するテーパー状である。従って、ブラシ本体１０をハンドル２０の挿入孔２２に挿入することにより、テーパー状の内面によりブラシ本体１０の毛束１１を徐々に内側に集めていき、口金を使用することなく毛束１１を扁平状に成形することができる。
【００３２】
また、挿入孔２２が形成されたハンドル２０は、かしめる必要がないため、口金のように変形可能な材料を用いる必要がない。従って、樹脂等の材料を自由に使用することができ、意匠性を向上させやすい。
【００３３】
また、挿入孔２２が幅方向に縮径しているので、ブラシ本体１０の毛束１１を幅方向に集めることができる。
【００３４】
また、挿入孔２２が厚み方向に縮径しているので、ブラシ本体１０の毛束１１を厚み方向に集めることができる。
【００３５】
また、ハンドル２０の後端部を塞ぐ尾栓部３１とブラシ本体１０の後端部に当接する軸部３２とからなる尾栓軸３０を有するので、ハンドル２０の後端部を塞いで使用しやすくするとともに、ブラシ本体１０の抜けを防止することができる。
【００３６】
このように、本実施形態に係る化粧ブラシ１００によれば、口金を使用することなく毛束を扁平状に集めて成形することができ、また意匠性を向上させやすい。
【００３７】
以上、本発明の実施形態に係る化粧ブラシ１００について説明したが、本発明は上述した実施の形態に限定されるわけではなく、その他種々の変更が可能である。
【００３８】
例えば、上記実施形態では、挿通孔の縮径方向を幅方向（＝長径方向）及び厚み方向（短径方向）の両方としたが、扁平状に集めることができれば、いずれか一方であってもよい。
【００３９】
また、上記実施形態では尾栓軸を使用したが、例えばブラシ本体の台座をハンドルに嵌着させるなどして、挿入後のブラシ本体をハンドルに固定するようにしてもよい。
【符号の説明】
【００４０】
１０  ブラシ本体
１１  毛束
１２  台座
２０  ハンドル
２１  筒状体
２２  挿入孔
２３  挿入孔
２４  段差部
２５  凹部
３０  尾栓軸
３１  尾栓部
３２  軸部
３３  凸部
１００  化粧ブラシ
【図１】
2018191838.tif 000003
【図２】
2018191838.tif 000004
【図３】
2018191838.tif 000005
【図４】
2018191838.tif 000006
【図５】
2018191838.tif 000007